(57)【要約】【課題】外表面にシールド被覆線を露出させたマイクコードを、グースネック型マイクロホンに用いられるフレキシブルパイプ内に容易に挿通できるようにする。【解決手段】外表面にシールド編組２１が露出されているマイクコード２０を、グースネック型マイクロホンに用いられるフレキシブルパイプ１０の一端側（口金１４側）の挿入口から他端側（ユニット支持筐体１５側）の引出口に向けて挿通するにあたって、ノズル３１より圧搾空気を挿入口側から引出口に向けて吹き込み、フレキシブルパイプ１０内に圧搾空気による気流を発生させながら、マイクコード２０をフレキシブルパイプ１０内に挿通する。好ましくは、引出口側に負圧吸引手段４１を設ける。【選択図】図１
2010074582.tif 000002
【特許請求の範囲】
【請求項１】
外表面にシールド編組が露出されているマイクコードを、グースネック型マイクロホンに用いられるフレキシブルパイプの一端側の挿入口から他端側の引出口に向けて挿通するにあたって、
圧搾空気を上記挿入口側から上記引出口に向けて吹き込み、上記フレキシブルパイプ内に圧搾空気による気流を発生させながら、上記マイクコードを上記フレキシブルパイプ内に挿通することを特徴とするフレキシブルパイプに対するマイクコードの挿通方法。
【請求項２】
上記挿入口内に送り込まれる上記マイクコードのシールド編組に対して、圧搾空気を上記マイクコードの送り込み方向に沿って吹き付けることを特徴とする請求項１に記載のフレキシブルパイプに対するマイクコードの挿通方法。
【請求項３】
上記引出口側を負圧吸引状態とすることを特徴とする請求項１または２に記載のフレキシブルパイプに対するマイクコードの挿通方法。
【発明の詳細な説明】
【技術分野】
【０００１】
本発明は、グースネック型マイクロホンに用いられるフレキシブルパイプに対するマイクコードの挿通方法に関し、さらに詳しく言えば、外表面にシールド編組が露出されているマイクコードに好適な挿通方法に関するものである。
【背景技術】
【０００２】
グースネック型マイクロホンにおいては、コンデンサマイクロホンユニット（以下、単に「マイクロホンユニット」と言う）と、音声信号出力回路等を含む出力モジュール部とが分離して構成され、出力モジュール部は机等の基台に設置され、マイクロホンユニットは細長いフレキシブルパイプを介して出力モジュール部に連結される。
【０００３】
マイクロホンユニットと出力モジュール部は、フレキシブルパイプ内に配線されるマイクコードを介して電気的に接続される。マイクコードには、外来雑音信号を受けないようにシールド被服線が用いられる。
【０００４】
マイクコードに関して、近年問題とされている携帯電話機から放射される強力な電磁波に起因する高周波電流による雑音発生をより効果的に防止するため、本発明者は、特許文献１で、シース（外皮）のない外表面にシールド編組を露出させたマイクコードをフレキシブルパイプ内に配線して、シールド編組をフレキシブルパイプに多点で接触させることを提案している。
【０００５】
図３に、グースネック型マイクロホンに用いられるフレキシブルパイプ１０の一例と、外表面にシールド編組を露出させたマイクコード２０とを示す。
【０００６】
このフレキシブルパイプ１０においては、基端側の第１フレキシブルパイプ１１と、先端側の第２フレキシブルパイプ１２とが金属製の中継パイプ１３を介して連結されており、第１フレキシブルパイプ１１，中継パイプ１３，第２フレキシブルパイプ１２の順に径が細くなっている。
【０００７】
第１フレキシブルパイプ１１側には、上記出力モジュール部に連結するための口金１４が接続され、第２フレキシブルパイプ１２側には、上記マイクロホンユニットのためのユニット支持筐体１５が接続されており、中継パイプ１３を含めて各部材の接続（結合）は接着材による。なお、中継パイプ１３がなく全体がフレキシブルパイプよりなるものもある。
【０００８】
フレキシブルパイプ１０内に、外表面にシールド編組２１を露出させた（剥き出しとした）マイクコード２０を配線することにより、シールド編組２１がフレキシブルパイプ１０の内面に多点で接触し、フレキシブルパイプ１０の抵抗値がきわめて小さくなり、電磁波に対するシールド機能が大幅に改善される。
【０００９】
【特許文献１】特開２００６−３３２１６号公報
【発明の開示】
【発明が解決しようとする課題】
【００１０】
しかしながら、マイクコード２０をフレキシブルパイプ１０に挿通する際に問題が生ずる。すなわち、外表面にシールド編組２１を露出させたマイクコード２０は、フレキシブルパイプ１０に挿通する際、シールド編組２１が軸方向に圧縮され径方向に膨らむため、入れづらい。
【００１１】
そればかりでなく、フレキシブルパイプ１０の内面自体が滑らかでなく、また、フレキシブルパイプ１０内には、内径が異なる繋ぎ目部分や接着材のはみ出し部分等の障害物が存在するため、マイクコード２０を挿通することは容易ではない。
【００１２】
フレキシブルパイプ１０の内径を大きくすれば、マイクコード２０を挿通しやすくなるが、そうするとフレキシブルパイプ１０内でのマイクコード２０の暴れによる雑音発生やフレキシブルパイプ１０の大径化により見栄えが損なわれる等の別の問題が生ずる。
【００１３】
したがって、本発明の課題は、外表面にシールド被覆線を露出させたマイクコードを、グースネック型マイクロホンに用いられるフレキシブルパイプ内に容易に挿通できるようにすることにある。
【課題を解決するための手段】
【００１４】
上記課題を解決するため、請求項１に係る発明は、外表面にシールド編組が露出されているマイクコードを、グースネック型マイクロホンに用いられるフレキシブルパイプの一端側の挿入口から他端側の引出口に向けて挿通するにあたって、圧搾空気を上記挿入口側から上記引出口に向けて吹き込み、上記フレキシブルパイプ内に圧搾空気による気流を発生させながら、上記マイクコードを上記フレキシブルパイプ内に挿通することを特徴としている。
【００１５】
請求項２に係る発明は、請求項１において、上記挿入口内に送り込まれる上記マイクコードのシールド編組に対して、圧搾空気を上記マイクコードの送り込み方向に沿って吹き付けることを特徴としている。
【００１６】
請求項３に係る発明は、請求項１または２において、上記引出口側を負圧吸引状態とすることを特徴としている。
【発明の効果】
【００１７】
請求項１に係る発明によれば、外表面にシールド編組が露出されているマイクコードを、グースネック型マイクロホンに用いられるフレキシブルパイプの一端側の挿入口から他端側の引出口に向けて挿通するにあたって、圧搾空気を挿入口側から引出口に向けて吹き込み、フレキシブルパイプ内に圧搾空気による気流を発生させながら、マイクコードをフレキシブルパイプ内に挿通するようにしたことにより、マイクコードとフレキシブルパイプの内面との間に薄空気層の流れができ、シールド編組がフレキシブルパイプ内の障害物に引っかかることなく、マイクコードをフレキシブルパイプ内に容易に挿通することができる。
【００１８】
また、請求項２に係る発明によれば、挿入口内に送り込まれるマイクコードのシールド編組に対して、圧搾空気をマイクコードの送り込み方向に沿って吹き付けることにより、シールド編組の径方向の膨らみが押さえられるため、マイクコードを挿入口内に入れやすくなる。
【００１９】
また、請求項３に係る発明によれば、引出口側を負圧吸引状態とすることにより、フレキシブルパイプ内により容易かつ確実にマイクコードを挿通することが可能となる。
【発明を実施するための最良の形態】
【００２０】
次に、図１および図２により、本発明の実施形態について説明するが、本発明はこれに限定されるものではない。図１は本発明のフレキシブルパイプに対するマイクコードの挿通方法を図解した説明図、図２はフレキシブルパイプの挿入口側での挿通状態を示す拡大断面図である。
【００２１】
まず、図１を参照して、フレキシブルパイプ１０とマイクコード２０は、先の図３で説明したものと同じであってよいため、これらの説明は省略する。マイクコード２０は、フレキシブルパイプ１０の口金１４側から挿入され、ユニット支持筐体１５側から引き出される。
【００２２】
したがって、口金１４に形成されている孔１４ａがフレキシブルパイプ１０の「挿入口」であり、ユニット支持筐体１５内がフレキシブルパイプ１０の「引出口」となる。
【００２３】
フレキシブルパイプ１０内にマイクコード２０を挿通するにあたって、この実施形態では、口金１４側に圧搾空気を吹き出すノズル３１が配置される。ノズル３１は図示しないエアコンプレッサ等の圧搾空気供給源に接続される。
【００２４】
ノズル３１は、好ましくはマイクコード２０の周りに均等間隔をもって複数個が配置される。各ノズル３１は、マイクコード２０の外表面に露出しているシールド編組２１に圧搾空気を吹き付けるように、マイクコード２０の挿入方向（図示矢印Ａ方向）に沿って口金１４の孔１４ａに向けて斜めに配置される。
【００２５】
好ましくは、「引出口」となるユニット支持筐体１５側にも、吸引ファン等からなる負圧吸引（真空吸引）手段４１が設けられる。
【００２６】
フレキシブルパイプ１０内にノズル３１より圧搾空気を吹き込み、一方で負圧吸引手段４１にて空気を吸引して、フレキシブルパイプ内に圧搾空気による気流を発生させながら、マイクコード２０を例えば送り込みローラ５１，５１によりフレキシブルパイプ１０内に送り込む。
【００２７】
これにより、マイクコード２０のシールド編組２１とフレキシブルパイプ１０の内面との間に空気層の流れができ、シールド編組２１がフレキシブルパイプ１０内の障害物に引っかかることなく移動するため、マイクコード２０を容易にフレキシブルパイプ１０内に挿通することができる。
【００２８】
また、フレキシブルパイプ１０の挿入口側で、ノズル３１よりシールド編組２１に向けて圧搾空気が吹き付けられ、これにより、シールド編組２１の径方向の膨らみが押さえられるとともに、図２の矢印Ｂにて示すように、口金１４の孔１４ａとシールド編組２１との間に薄空気層の流れが形成されるため、マイクコード２０をスムースに口金１４内に導き入れることができる。
【図面の簡単な説明】
【００２９】
【図１】本発明のフレキシブルパイプに対するマイクコードの挿通方法の実施形態を図解した説明図。
【図２】フレキシブルパイプの挿入口側での挿通状態を示す拡大断面図。
【図３】従来技術においてフレキシブルパイプにマイクコードを挿通する際の問題点を説明するための説明図。
【符号の説明】
【００３０】
１０  フレキシブルパイプ
１４  挿入口側の口金
１５  引出口側のユニット支持筐体
２０  マイクコード
２１  シールド編組
３１  圧搾空気吹出用のノズル
４１  負圧吸引手段
５１  送り出しローラ
【図１】
2010074582.tif 000003
【図２】
2010074582.tif 000004
【図３】
2010074582.tif 000005